(57)【要約】【課題】施設全体の大規模な改変を要求せずにタバコの煙を浄化可能な装置を提供する。【解決手段】隣接する遊技機の間に位置して遊技島に配設される台間装置３であって、遊技機の高さに合わせた筐体３０と、遊技機に設けられた灰皿の高さ位置に合わせて前面パネルに開口された吸入口と、筐体内部に設けられて空気中の浮遊粒子を濾過するフィルタ５２と、フィルタ５２により濾過された濾過空気を吐出する送風ユニット４２と、送風ユニット４２から吐出された濾過空気を前面パネル上部の吐出口に導く導出ダクト４３と、導出ダクト４３にオゾンを供給するオゾン供給ユニット４４とを備え、導出ダクト４３を流れる濾過空気にオゾン供給ユニット４４から供給されたオゾンが混合されて吐出口から吐出されるように台間装置３を構成する。【選択図】  図４
2008022872.tif 000002
【特許請求の範囲】
【請求項１】
複数の遊技機が左右に並んで立設保持される遊技施設の島設備に、隣接する遊技機の間に位置して取り付けられる台間装置であって、
前記遊技機の高さに合わせた矩形箱状の筐体と、
前記遊技機に設けられた灰皿の高さ位置に合わせて前記筐体における前面パネルの下部に開口形成された吸入口と、
前記吸入口と繋がる前記筐体の内部に設けられ空気中の浮遊粒子を濾過するフィルタと、
前記吸入口から空気を吸入し前記フィルタにより濾過された濾過空気を吐出する第１の送風手段と、
前記第１の送風手段から吐出された前記濾過空気を前記前面パネルの上部に開口形成された吐出口に導く導出ダクトと、
前記導出ダクトにオゾンを供給するオゾン供給手段とを備え、
前記導出ダクトを流れる前記濾過空気に前記オゾン供給手段から供給されたオゾンが混合されて前記吐出口から吐出されるように構成したことを特徴とする台間装置。
【請求項２】
前記オゾン供給手段は、
空気に紫外光を照射してオゾンを発生させる光源と、
前記筐体の内部に形成され前記光源を閉塞状態で収容するランプ室と、
前記ランプ室に空気を供給する第２の送風手段と、
前記ランプ室と前記導出ダクトとを繋ぐオゾン供給管とを備えて構成されることを特徴とする請求項１に記載の台間装置。
【請求項３】
基端部が前記吸入口に取り付けられ先端側に吸入開口を有する筒状の吸入ダクトを備え、前記吸入ダクトは、前記吸入開口の配設位置が前記灰皿に対して調整可能に構成されることを特徴とする請求項１または請求項２に記載の台間装置。
【請求項４】
前記導出ダクトにおいて混合された前記濾過空気と前記オゾンが、前記吐出口から斜め上方に吐出されるように構成したことを特徴とする請求項１から請求項３のいずれか一項に記載の台間装置。
【請求項５】
前記吸入口と前記吐出口との間に位置して表示面が前記前面パネルの前面側から視認可能に設けられ、入力される情報信号に応じた所定の情報を前記表示面に表示する情報表示部材と、
前記情報表示部材に前記情報信号を出力して前記所定の情報を表示させる表示制御手段とを備えたことを特徴とする請求項１から請求項４のいずれか一項に記載の台間装置。
【請求項６】
前記前面パネルの上部に位置して設けられ、前記前面パネルよりも前方の映像を撮影可能な撮影カメラと、
前記撮影カメラによって撮影された映像データを前記遊技施設に出力する映像出力手段とを備えたことを特徴とする請求項１から請求項５のいずれか一項に記載の台間装置。
【発明の詳細な説明】
【技術分野】
【０００１】
本発明は、複数の遊技機が左右に並んで立設保持される遊技施設の島設備に、隣接する遊技機の間に位置して取り付けられる台間装置に関する。
【背景技術】
【０００２】
上記のような台間装置として、例えば、隣接するパチンコ遊技機の間に位置して取り付けられる台間球貸し機や台間カードリーダ、隣接するスロット遊技機の間に位置して取り付けられる台間メダル貸し機などが広く知られ（例えば、特許文献１、特許文献２を参照）、既に多数用いられている。
【０００３】
【特許文献１】特開２００４−８１６０３号公報
【特許文献２】特開平９−１６１６０６号公報
【発明の開示】
【発明が解決しようとする課題】
【０００４】
ところで、遊技施設には多数の遊技者が来場して遊技を行うところ、喫煙人口も多く、遊技者が吸うタバコの煙が施設内に充満して、非喫煙者はもとより、喫煙者ですら目やのどの痛み、髪の毛や服装に付着するタバコの臭いなどに閉口するものである。遊技施設では、空調設備に脱臭装置や空気清浄化装置などを設けて遊技環境の改善を図っているが、施設全体に拡散したタバコの煙を浄化するには施設全体の大規模な改変が必要であり、遊技施設にとって時間的、費用的に大きな負担となっている。
【０００５】
本発明は、上記のような事情に鑑みて成されたものであり、施設全体の大規模な改変を要することなく効率的にタバコの煙を浄化可能であるとともに、遊技者に対しても不快感や身体的な負担を与えるようなことがない装置を提供することを目的とする。また、遊技者が遊技を継続しながら所要の情報を入手でき、あるいは不正行為に対して抑止力となるような装置を提供することを目的とする。
【課題を解決するための手段】
【０００６】
上記目的を達成するため、本発明は、複数の遊技機（例えば、実施形態におけるパチンコ機２）が左右に並んで立設保持される遊技施設の島設備（例えば、実施形態における遊技島１）に、隣接する遊技機の間に位置して取り付けられる台間装置である。そのうえでこの台間装置は、遊技機の高さに合わせた矩形箱状の筐体と、遊技機に設けられた灰皿の高さ位置に合わせて筐体における前面パネルの下部に開口形成された吸入口と、吸入口と繋がる筐体の内部に設けられ空気中の浮遊粒子を濾過するフィルタと、吸入口から空気を吸入しフィルタにより濾過された濾過空気を吐出する第１の送風手段（例えば、実施形態における送風ユニット４２）と、第１の送風手段から吐出された濾過空気を前面パネルの上部に開口形成された吐出口に導く導出ダクトと、導出ダクトにオゾンを供給するオゾン供給手段（例えば、実施形態におけるオゾン供給ユニット４４）とを備え、導出ダクトを流れる濾過空気にオゾン供給手段から供給されたオゾンが混合されて吐出口から吐出されるように構成される。
【０００７】
上記オゾン供給手段は、空気に紫外光を照射してオゾンを発生させる光源と、筐体の内部に形成され光源を閉塞状態で収容するランプ室と、ランプ室に空気を供給する第２の送風手段（例えば、実施形態における第２送風機６３）と、ランプ室と導出ダクトとを繋ぐオゾン供給管とを備えて構成される。
【０００８】
なお、基端部が吸入口に取り付けられ先端側に吸入開口を有する筒状の吸入ダクトを備え、この吸入ダクトは、吸入開口の配設位置が灰皿に対して調整可能に構成されることが好ましく、導出ダクトにおいて混合された濾過空気とオゾンが、吐出口から斜め上方に吐出されるように構成することが望ましい。
【０００９】
また、吸入口と吐出口との間に位置して表示面が前面パネルの前面側から視認可能に設けられ、入力される情報信号に応じた所定の情報を表示面に表示する情報表示部材（例えば、実施形態における表示パネル７１ａ，７１ｂ）と、情報表示部材に情報信号を出力して所定の情報を表示させる表示制御手段（例えば、実施形態における表示制御基板７５）とを備えて構成することが好ましい。
【００１０】
さらに、前面パネルの上部に位置して設けられ、前面パネルよりも前方の映像を撮影可能な撮影カメラと、撮影カメラによって撮影された映像データを遊技施設に出力する映像出力手段（例えば、実施形態における撮影制御基板８５）とを備えて構成することが望ましい。
【発明の効果】
【００１１】
本発明では、遊技機の灰皿の高さ位置に合わせて前面パネルの下部に吸入口が形成され、この吸入口と繋がる筐体の内部に、空気中の浮遊粒子を濾過するフィルタと、フィルタにより濾過された濾過空気を吐出する第１の送風手段と、吐出された濾過空気を前面パネルの上部に開口形成された吐出口に導く導出ダクトと、導出ダクトにオゾンを供給するオゾン供給手段とを備え、導出ダクトを流れる濾過空気にオゾン供給手段から供給されたオゾンが混合されて吐出口から吐出されるように台間装置が構成される。すなわち、本発明の台間装置は空気清浄機能を備えて構成される。よく知られるように、遊技施設の島設備は遊技機を固定する上下の桟部材からなり、遊技機及び台間装置を任意に配設可能になっている。
【００１２】
このため、空気清浄機能を備えた台間装置を遊技機の台間に適宜配設することで、大規模な空調設備の改変等を要することなく、台間装置の設置台数に応じた空気清浄機能を発揮させることができる。また、吸入口が遊技機の灰皿の高さ位置に合わせて前面パネルの下部に形成されているため、タバコから立ち上る煙が広く拡散する前の集束した状態で効率的に吸入することができ、小型の空気清浄化装置（フィルタによる浮遊粒子の除去及びオゾン脱臭）で高効率に汚染空気を浄化することができる。
【００１３】
さらに、本構成の台間装置では、第１の送風手段から吐出された濾過空気を吐出口に導く導出ダクトにおいて、当該導出ダクトを流れる濾過空気にオゾン供給手段から供給されたオゾンが混合されて吐出口から吐出されるように構成されている。すなわち、吸入口から吐出口に至る流路において、オゾンが接するのは導出ダクトのみであり、この導出ダクト以外の他の部材、例えば空気の流れをつくる第１の送風手段や、流路を形成する壁面、各種電気部品等がオゾンに接しないようになっている。従って、導出ダクトを耐オゾン性の部材で構成すれば、活性オゾンに接することによって引き起こされる種々の障害、例えばオゾンクラックの発生や可塑剤の変質に伴う脆化、絶縁抵抗の低下などを未然に防止することができ、長期信頼性を高めた小型の空気清浄機能付き台間装置を提供することができる。
【００１４】
なお、空気に紫外光を照射してオゾンを発生させる光源をランプ室に閉塞状態で収容し、このランプ室に第２の送風手段により空気を供給してオゾンを発生させ、発生されたオゾンをオゾン供給管を介して導出ダクトに供給するようにオゾン供給手段を構成すれば、簡明かつ低廉な構成でオゾン供給手段を構成できる。また、光源がランプ室に閉塞状態で収容される構成のため、紫外光が他の構成部材、例えば前述した第１の送風手段や、その流路形成部材、各種電気部品等に照射されることがない。発生されるオゾンについても同様である。従って、ランプ室を耐紫外線性及び耐オゾン性の部材で構成すれば、紫外光やオゾンに晒されることによる上記同様の種々の障害を未然に防止することができ、長期信頼性を高めた小型の空気清浄機能付き台間装置を提供することができる。
【００１５】
吸入口に筒状の吸入ダクトを設け、ダクト先端の吸入開口の配設位置を灰皿に対して調整可能にした構成によれば、タバコの煙の捕捉率を高めて汚染空気の浄化率をさらに高めることができる。また、導出ダクトにおいて混合された濾過空気とオゾンが前面パネル上部の吐出口から斜め上方に吐出されるような構成によれば、吐出される空気が遊技者に直接的に吹き付けられるようなことがなく、遊技者に不快感を与えない優しい気流環境を形成するとともに、オゾンが遊戯施設内に拡散供給されるため高濃度オゾンの直接吸引による懸念も生じることがない。
【００１６】
なお、吸入口と吐出口との間に表示面が前面パネルの前面側から視認可能に設けられた情報表示部材と、この情報表示部材に情報信号を出力して所定の情報を表示させる表示制御手段とを備えた構成によれば、この情報表示部材に表示される各種情報を適宜参照することにより、遊技者が遊技を継続しながら所要の情報を入手できる。遊技施設にとっても施設のホール情報や、その遊技施設周辺地域の広告情報、ニュース報道など遊技者が関心をもつ情報を表示することで、集客率を向上させ、地域の活性化にも寄与することができる。
【００１７】
また、前面パネルの上部に前方の映像を撮影可能な撮影カメラを設け、撮影された映像データを映像出力手段から遊技施設に出力するような構成によれば、撮影カメラの配設高さが遊技機に対峙して着座した遊技者の顔面と略同一となり、かつ遊技者の正面から撮影可能になる。映像出力手段から遊技施設側に出力された映像データは、例えば遊技施設の管理室でテレビ画面に表示させることができ、あるいは通信回線を経由して警備会社に接続するように構成することもできる。このため、各台間装置の撮影カメラにおいて適宜なインターバルで撮影し、あるいは複数の台間装置の撮影カメラを順次スクロールするように撮影し、または遊戯施設内の防犯カメラで異常が認められたときに近傍の台間装置の撮影カメラで撮影するなどにより、いわゆるゴトと称される不正行為を確実に捕捉することができる。また、正面に撮影カメラが存在することから不正行為者に対して抑止力として機能し、防犯効果を高めることができる。
【発明を実施するための最良の形態】
【００１８】
以下、本発明の好ましい実施形態について図面を参照しながら説明する。本発明に係る台間装置３が取り付けられた遊技施設の島設備（以下、「遊技島」という）１を図２に示しており、まずこの図を参照して台間装置３の設置環境について概要説明する。
【００１９】
遊技施設には、多数のパチンコ機２を立設状態で保持する遊技島１が、列状に並んで複数設けられている。遊技島１の島構造は、遊技施設の床面から上方に向かって立ち上がって左右に延びる巾木及び腰板１１の上部に、前方に突出して小幅テーブル状の天板１２が設けられ、その後方にパチンコ機２を支持する島棚板１３が設けられている。島棚板１３の上方には、パチンコ機２の高さ寸法よりも幾分大きめの間隔を隔てて島棚板１３と平行に延びる島上板が設けられ（不図示）、その前方に報知ランプ等を有する化粧扉１４が前方に開閉可能に取り付けられている。
【００２０】
このように、パチンコ機２が設置される領域は、左右に延びる島棚板１３と、その上方に位置して平行に延びる島上板とに上下を挟まれて、左右にほとんど仕切りのない空間であり、ここに複数台のパチンコ機２と台間装置３とが左右に並んで配置される。パチンコ機２は外枠の上下の枠板が島棚板及び島上板に釘打ち固定されて所定の立設姿勢に設置され、台間装置３は外枠の左側の枠板にネジ固定されてパチンコ機２とともに左右に並んで遊技島１に設置される。
【００２１】
パチンコ機２は、遊技島１に固定された外枠に対して開閉搭載枠たる前枠が横開き開閉可能に連結され、この前枠の上部に所定ゲージ設定の遊技盤が立設姿勢で固定保持される。遊技盤の前方にはガラス扉２１が横開き開閉可能に取り付けられるとともに、ガラス扉２１の下側に位置して遊技球を貯留する上下の球皿２２が設けられ、下球皿の右側下部に遊技球の発射操作を行う発射ハンドル２３、下球皿の左側に灰皿２５が設けられている。遊技島の天板１２には、隣接するパチンコ機２，２…の間（各台の灰皿２５の斜め下方）に位置してダストシュート形態の灰皿１５，１５…が設けられるとともに、天板１２の下側に左右に延びて各灰皿１５，１５…の吸い殻を集合させるコンベアが内蔵されており、吸い殻処理を容易に行い得るようになっている。
【００２２】
このような遊技島１に配設される台間装置３の単体図を図１と図３〜図５に示しており、以下これらの図面を併せて参照しながら、台間装置３の構成について詳細に説明する。なお、図１は台間装置３の斜視図、図３は正面図、図４はサイドプレートを取り外した状態で示す台間装置３の筐体内部の概要構成図（左側方から見た側方要部断面図）、図５は台間装置３の背面図である。
【００２３】
台間装置３は、パチンコ機２ＰＭの高さに合わせた矩形箱状の筐体３０と、この筐体２０の内部に設けられた空気清浄化装置４０を主体として構成される。
【００２４】
筐体３０は、図４に示すように、前面及び左側面が開放された箱状のフレーム３１と、このフレーム３１の左側面を覆って取り付けられるサイドプレート３２、フレーム３１の前面側に装着される前面パネル３３などからなり、板厚１mm程度の金属板、例えばステンレス鋼板や、冷間圧延鋼板、アルミ合金板等を板金加工して図示する形状に形成し、材質に応じて適宜な表面処理を施して構成される。
【００２５】
筐体３０の内部に配設される空気清浄化装置４０は、大別的には、空気中の浮遊粒子を濾過するフィルタユニット４１と、フィルタユニット４１により濾過された濾過空気を吸引して吐出する送風ユニット４２、送風ユニット４２から吐出された濾過空気を前面パネル３２の上部に開口形成された吐出口３６に導く導出ダクト４３、導出ダクトにオゾンを供給するオゾン供給ユニット４４、及び空気清浄化装置の作動を制御する空気系制御基板４５などから構成される。
【００２６】
フィルタユニット４１は、フィルタケース５１と、このフィルタケース５１の内部に収容されたフィルタ５２とからなり、フィルターケース５１は、前面５１ｆ及び上面５１ｕを除くケース面が壁面で囲まれた矩形箱状の密閉構造になっている。フィルターケース５１の前面５１ｆには、前面パネル３３に設けられたフィルタプレート３４と位置整合して矩形のフィルタ交換窓５４が開口形成されるとともに、前面パネル側の吸入ダクト３５と位置整合して吸入ダクト３５の基端側を挿通させる円形のダクト挿通窓５５が開口形成されている。またケース上面５１ｕには矩形の連結窓５６が開口形成され、ここに送風ユニット４２との間を繋ぐ角筒状の連結ダクト５７が接続されている。フィルタケース５１は難燃性または不燃性の素材を用いて形成され、例えば、パチンコ機の灰皿１５と同様の熱硬化性樹脂材料、アルミ合金やステンレス合金等の金属材料などを用いて、例示する矩形箱状に構成される。
【００２７】
フィルタ５２は、空気中の浮遊粒子を捕捉して濾過する濾材であり、対象とする浮遊粒子の粒径により種々の形態のものを用いることができるが、実施形態に示すフィルタユニット４１では、ヘパフィルタ（HEPAフィルタ：High Efficiency Particulate Air Filter）と称される超高性能エアフィルタを用いた構成例を示す。ヘパフィルタは粒径0.3μmの浮遊粒子を99.97％以上捕集する効率を有しており、タバコの煙粒子を高効率に捕集することができる。フィルタユニット４１では、ガラス繊維を基材とした難燃性のヘパフィルタシートを用い、これを上下に折り返してプリーツ状に成型したフィルタ５２をフィルタケース５１の中間部に収容している。これにより、フィルタ５２を挟んで下側に吸入側空気室５８、上側に濾過側空気室５９が形成される。
【００２８】
なお、平均粒子捕集率が異なる複数のエアフィルタ、例えば、対象粒径１~１０μmの平均粒子捕集率が60％以上の中性能エアフィルタと対象粒径0.3μmの平均粒子捕集率が90％以上の高性能エアフィルタ、あるいは中性能エアフィルタと0.3μmの平均粒子捕集率が99.97％以上の超高性能エアフィルタ（ヘパフィルタ）など、対象粒径が異なる複数種類のフィルタを組み合わせて構成しても良い。このような構成によれば、粒径の大きい浮遊粒子を前段のプレフィルタでフィルタリングできるため、メインフィルタの交換寿命を伸ばしてランニングコストを低減することができる。
【００２９】
連結ダクト５７は、フィルタケース５１の上面後端側に開口形成された連結窓５６で濾過側空気室５９と繋がる角筒状の流路であり、濾過側空気室５９から送風ユニット４２に向かう濾過空気の流れを整流して送風ユニット４２に導く機能を持っている。連結ダクト５７は、例えば、アルミ合金やステンレス合金等の金属材料を用いて板金加工により形成され、あるいはＡＢＳ樹脂やポリアミドなどの一般的な熱可塑性樹脂材料を用いて射出成型により形成されて、フィルタユニット４１と送風ユニット４２との間を繋いで上下に延びて配設される。
【００３０】
連結ダクト５７を介して濾過側空気室５９と繋がる送風ユニット４２は、濾過側空気室５９の空気を吸引してフィルタ５２の上下に差圧を発生させ、これにより前面パネルの吸入ダクト３５から汚染空気を濾過吸入して濾過するとともに、フィルタ５２によって濾過された濾過空気室５９側の空気（濾過空気）を導出ダクト４３に吐出する。本実施形態では、ヘパフィルタによる大きな圧力損失下においても十分な空気流量を確保するため、ファンモータを挟んで回転軸の前後の軸端部に取り付けられた前後二段の動翼とこれらの動翼間に設けられた静翼とを有する軸流型の第１送風機を二台用い（４２ａ，４２ｂ）、これらを流れ方向に直列接続した構成例を示す。このような軸流送風機の二段直列構成により、ヘパフィルタのような目の細かい超高性能フィルタを用いた場合であっても0.7m3／min程度の十分な送風容量を得ることができる。
【００３１】
導出ダクト４３は、送風ユニット４２の出口と前面パネルの上部に開口形成された吐出口３６との間を繋ぐ断面視矩形の流路であり、上流側のベンド部４３ａと下流側のストレート部４３ｂとから構成される。ベンド部４３ａは、送風ユニット４２から鉛直上方に吐出された濾過空気の流れを斜め前方に偏向するとともに、吐出口３６から放出される気流の速度を低減させるため、流路の傾斜角度が緩やかに変化しかつ流路断面積が緩やかに広がるように、漸次拡大の多段階ベンド構造になっている。本実施例では送風ユニット吐出口の開口面積をベンド部の出口で約２倍の流路面積まで緩やかに拡大している。
【００３２】
ストレート部４３ｂは、一定断面積かつ一定傾斜角度で斜め前方に延びる直管構造になっており、濾過空気がこのストレート部を流れる過程で気流がストレート部の延びる方向に整流され、吐出口３６から斜め前方に向けて放出されるようになっている。このストレート部４３ｂの傾斜角度は適宜に設定できるが、遊技者の着座高さや隣接する遊技島の配設間隔、流路断面積の確保等を総合考慮すると、前後に延びる水平面に対して上向き１５〜４５度程度の傾斜角度とすることが好ましく、実施例では３０度に設定している。
【００３３】
導出ダクト４３には、次述するオゾン供給ユニット４４からオゾンが供給される。このため、導出ダクト４３は、耐オゾン性の高い素材を用いて構成され、例えば、アルミ合金やステンレス合金等の金属材料を用いて板金加工により形成され、あるいは塩化ビニデリン樹脂やフッ素樹脂などの樹脂材料を加工成形して構成される。なお、本実施形態では、製作の容易性から、導出ダクトの上流部を多段屈曲の拡大管構造としたが、円弧状の滑らかな壁面による無段階の拡大ベンド構造としてもよいことは勿論である。
【００３４】
オゾン供給ユニット４４は、空気に紫外光を照射してオゾンを発生させる光源６１と、光源６１を閉塞状態で収容するランプ室６２と、ランプ室６２に空気を供給する第２送風機６３と、ランプ室６２と導出ダクト４３とを繋ぐオゾン供給管６４とを備えて構成される。光源６１は、例えば波長250nm程度の波長帯域の紫外光（ＵＶ−Ｃ）を発光する紫外線ランプであり、オゾンを効率的に発生させることからオゾンランプとも称される。ランプ室６２は、この光源６１を閉塞状態で収容する細長い箱状になっており、耐オゾン性が高く、かつ上記波長の紫外光に対して反射率が高い材質、例えばステンレス合金の鏡面材等を用いて板金加工により形成される。
【００３５】
第２送風機６３は、制御盤等に用いられる小型の軸流ファンであり、筐体内方からランプ室６２に空気を送風して、光源６１を冷却するとともに、ランプ室６２を余圧する。筐体３０の後面側には、ランプ室６２に送風する空気を取り入れるフィルタ付きの空気取り入れ口６５が設けられている。なお、本実施例では、第２送風機６３をランプ室６２の壁面に直接取り付けているため、アルミダイキャスト製の動翼を備えた軸流ファンを採用しているが、紫外光が直接照射されない構成とした場合には、動翼が樹脂製の軸流ファンを採用することができる。
【００３６】
ランプ室６２の上部には、このランプ室６２と導出ダクト４３とを繋ぐオゾン供給管６４が設けられており、光源６１の発光により生成され余圧された所定濃度のオゾンを含む空気がオゾン供給管６４の管内流路を通って導出ダクト４３に供給される。オゾン供給管６４の先端側は導出ダクト４３におけるストレート部４３ｂの配設位置及び傾斜角度に合わせて屈曲されており、導出ダクト４３内の気流を乱すことなくオゾン供給管６４の先端から流路中央にオゾンを含む空気が供給されるようになっている。オゾン供給管６４は、例えば、直径６〜１０mm程度のステンレス鋼管を切断及び曲げ成型して構成され、ランプ室６２に溶接、貫通継ぎ手、ナット締結等により固定される。
【００３７】
筐体３０の前面側に取り付けられる前面パネル３３には、パチンコ機２に設けられた灰皿２５の高さ位置に合わせて円形の吸入口３３ｐが開口形成され、ここに吸入ダクト３５が取り付けられている。吸入ダクト３５は前後に延びる第１パイプ部３５ａと、この第１パイプ部の中心軸と直交方向に延びる第２パイプ部３５ｂとからなり、同一直径の円筒パイプを斜め４５度に切断し各傾斜切断面を突き合わせ固着してＬ字状に形成される。吸入ダクト３５は、その基端側が前面パネルの吸入口３３ｐを挿通されて第１パイプ部３５ａの軸まわりにのみ回転自在に取り付けられる。前面パネルの吸入口３３ｐとフィルタケース５１のダクト挿通窓５５とは、前面パネルの装着姿勢において位置整合するように設定されており、前面パネル３３を筐体３０に取り付けたときに、第１パイプ部３５ａの基端がダクト挿通窓５５を通って吸入側空気室５８の内部に配設されるようになっている（図４を参照）。
【００３８】
吸入ダクト３５の上側には、フィルタケース５１におけるフィルタ交換窓５４と位置整合してこれより幾分大きめの矩形開口が形成されるとともに、その前方を覆ってフィルタプレート３４がネジ固定されている。
【００３９】
前面パネル３３の上端近傍部には、導出ダクト４３の出口と位置整合して吐出口３６が形成されている。吐出口３６は、例えば高さ４mm×巾３０mm程度の長孔状に打ち抜いた単位開口を６mm程度の所定ピッチで上下に多数並べて形成され、十分な開口面積を確保するとともに、流路抵抗を抑制した構成になっている。
【００４０】
筐体３０の内部には、フィルタケース５１の下側に位置して空気清浄化装置４０の作動を制御する空気系制御基板４５と、次述する情報表示装置７０の作動を制御する表示制御基板７５及び撮影装置８０の作動を制御する撮影制御基板８５が設けられ、筐体３０の後面には、いずれも記載を省略するが、台間装置３に電力を取り入れる電源コード、遊技施設側のホールコンピュータと接続されるＩ／Ｏコネクタが設けられている。
【００４１】
一方、吐出口３６とフィルタプレート３４との間に位置して、所定の情報を表示する情報表示装置７０と、台間装置前方の画像を撮影する撮影装置８０とが設けられている。
【００４２】
情報表示装置７０は、筐体３０側に取り付けられた表示パネル７１ａ，７１ｂと、これらの表示パネルと位置整合して前面パネル３３に装着された保護用の表示窓７２ａ，７２ｂ、及び表示パネル７１ａ，７１ｂに情報信号を出力して表示作動を制御する表示制御基板７５からなり、表示パネルに表示される情報が前面パネル３３の前面側から視認可能に構成される。
【００４３】
表示パネル７１ａ，７１ｂは、例えば、縦５０×横１０ドットの三色LED表示パネルを用い、ここに所定情報を静止表示させ、あるいは上下方向にスクロール表示させることができる。表示させる情報は適宜に設定することができる。例えば、表示制御基板７５のメモリーにホール情報や遊技施設周辺地域の広告情報等を予め設定記憶させておき、一定の期間中これを順次繰り返して表示させる構成や、遊技施設側から複数の台間装置３，３…にニュース情報や天気予報、トピックスなどを配信して表示させる構成、通常はメモリーに設定記憶された情報を表示させるが遊技施設側から情報配信の信号が入ったときにその情報、例えばナイタースポーツの途中経過情報や緊急情報等を表示させる構成など、適宜な情報を表示させることができる。
【００４４】
また、上下二段の表示パネル構成により、それぞれの表示パネル７１ａ，７１ｂに各々別のジャンルの情報を表示させ、あるいは上下の表示パネルを連動させて一体の表示パネルとして情報を表示させるように構成することも可能である。
【００４５】
撮影装置８０は、筐体３０側に取り付けられた撮影カメラ８１と、撮影カメラ８１と位置整合して前面パネル３３に装着された薄いスモークガラスの保護用のカバー窓８２、撮影カメラ８１の作動を制御するとともに、撮影された映像データを遊技施設側に出力する撮影制御基板８５などから構成される。
【００４６】
撮影カメラ８１は、例えば玄関モニターや簡易型のテレビ電話等に用いられるモノクロあるいはカラーの比較的安価なＣＣＤカメラを用いて構成することができる。台間装置３では撮影カメラ８１を吐出口３６の直下に位置して比較的高い位置に設けている。この光軸高さ位置は、遊技機に対峙して着座する遊技者の顔面よりも幾分高いが、遊技者が立ち上がった場合でも頭部を視野内に収めることができ、かつ遊技者の正面から撮影可能になっている。またこのような高さ一に設定することで、遊技者の後方の遊技島の状況も遊技者の陰にならずに撮影することができる。なお、撮影カメラ８１の光軸を適宜な方位に傾けて設定しても良く、光軸方位を遠隔操作で調整可能に構成しても良い。
【００４７】
撮影カメラ８１により撮影された映像データは、撮影制御基板８５を介して遊技施設側に出力される。遊技施設では、例えば管理室でテレビ画面に表示させたり、ビデオテープに録画することができ、あるいは通信回線を経由して警備会社に接続するように構成することもできる。このため、各台間装置の撮影カメラにおいて適宜なインターバルで撮影し、あるいは複数の台間装置の撮影カメラを順次スクロールするように撮影し、または遊戯施設内の防犯カメラで異常が認められたときに近傍の台間装置の撮影カメラで撮影するように構成することができる。
【００４８】
さて、このように構成される台間装置３が、図２に示したように各パチンコ機の間に設置されると、吸入ダクト３５はパチンコ機２の灰皿２５に対応してその側方に位置し、吸入ダクト３５は、第１パイプ部３５ａの軸まわりに揺動可能に構成されている。このため、吸入ダクト３５を揺動させて先端の吸入開口３５ｃを灰皿２５に対して調整することができ、灰皿２５に載置したタバコから立ち上る煙を最も良く吸引する角度位置に合わせることができる。また吸入ダクト３５を下方に揺動させることで遊技島の灰皿１５に載置したタバコから立ち上る煙を最も良く吸引する角度位置に合わせることもできる。このため、タバコから立ち上る煙が広く拡散する前の集束した状態で、もれなく効率的に吸入することができる。
【００４９】
吸入開口３５ｃから吸引されたタバコの煙は、吸入ダクト３５からフィルタケース５１内の吸入側空気室５８に入り、フィルタ５２により濾過される。前述したように、フィルタ５２は粒径0.3μmの浮遊粒子を99.97％以上捕集する効率を有しており、吸引されたタバコの煙粒子、特にタール成分を含む粒子が高効率で捕集される。フィルタ５２はガラス繊維を基材とした難燃性の濾材であり、万が一火気を吸引した場合でも燃焼することがない。
【００５０】
フィルタ５２により浮遊粒子が除去された濾過空気は、フィルタケースの濾過側空気室５９から連結ダクト５７を通って送風ユニット４２に吸引され、このユニット４２に設けられた二台の第１送風機４２ａ，４２ｂにより導出ダクト４３に吐出される。送風ユニット４２から導出ダクト４３に吐出された濾過空気は、ダクト上流側のベンド部４３ａで斜め前方に偏向されるとともに、流路面積の緩やかな拡大により大きな損失を生じることなく気流の速度が低減され、下流側のストレート部４３ｂを斜め上方に向けて流れる。
【００５１】
一方、オゾン供給ユニット４４では、光源６１が発光制御されるとともに第２送風機４３により送り込まれた空気によりランプ室６２が余圧され、所定濃度のオゾンを含む空気がオゾン供給管６４を通って導出ダクト４３に供給される。オゾン供給管６４の先端側はストレート部４３ｂの位置及び傾斜角度に合わせて屈曲され、オゾン供給管６４の先端から供給されたオゾンを含む空気が、ストレート部４３ｂの流路中央に気流に沿って供給される。このため、導出ダクト４３内で濾過空気とオゾンとが混合され、ストレート部４３ｂを流れる過程で気流がストレート部の延びる方向に整流されて、前面パネル上端の吐出口３６から斜め上方に放出される。
【００５２】
このため、吐出口３６から吐出される浄化された空気が遊技者に直接吹き付けられるようなことがなく、遊技者に不快感を与えない優しい気流環境を形成することができる。また、オゾンが遊戯施設内に拡散供給される構成のため、高濃度オゾンの直接吸引による懸念も生じることがない。
【００５３】
遊技者は、前面パネル３３の表示窓７２ａ，７２ｂを通して表示パネル７１ａ，７１ｂに表示される種々の情報を適宜参照することにより、着座姿勢で遊技を継続しながら所要の情報を入手することができる。遊技施設にとってもホール情報や、その遊技施設周辺地域の広告情報、ニュース報道など遊技者が関心をもつ情報を表示することで、集客率を向上させ、地域の活性化にも寄与することができる。
【００５４】
さらに、前面パネルの上部に前方を撮影する撮影カメラ８１が設けられ、撮影された映像データが撮影制御基板８５から遊技施設に出力されるように構成されているため、不審な行動の遊技者を正面から監視することができる。このため、複数の台間装置の撮影カメラを順次スクロールするように撮影し、あるいは遊戯施設内の防犯カメラで異常が認められたときに近傍の台間装置の撮影カメラで集中的に撮影する等、撮影装置８０を活用することにより、不正行為を確実に捕捉することができる。また、正面に撮影カメラ８１を設けることにより不正行為者に対して抑止力として機能し、防犯効果を高めることができる。
【００５５】
なお、以上の実施形態では、吸入ダクト３５を剛性のある円筒パイプをＬ字状に接合して基端側の軸まわりに揺動可能にした構成例を示したが、例えば、図６に示すように、前面パネルの吸入口３３ｐを挿通されて軸まわりに回転自在に取り付けられる第１パイプ部３８ａの前方に、灰皿１５，２５の位置に合わせて長さ及び形状が自由に成形可能な可撓性のあるダクト部３８ｂを有する、難燃性若しくは不燃性のダクト３８を用いて構成しても良い。このような構成によれば、吸入ダクト３８先端の吸入開口３８ｃの配設位置を自由自在に設定することができるため、タバコの煙の捕集率をさらに向上させることができる。また前面パネルに二枚のLED表示パネルを設けた構成例を示したが、表示パネルの構成数は１枚または３枚以上であっても良く、より高精細な液晶表示パネルを用いて構成しても良い。
【図面の簡単な説明】
【００５６】
【図１】本発明に係る台間装置の斜視図である。
【図２】遊技機及び台間装置が取り付けられた状態の遊技島の斜視図である。
【図３】上記台間装置の正面図である。
【図４】サイドプレートを取り外した状態で左側方から見た筐体内部の概要構成図（要部断面図）
【図５】上記台間装置の背面図である。
【図６】ダクトの構成例を示す斜視図である。
【符号の説明】
【００５７】
１  遊技島（遊技施設の島設備）
２  パチンコ機（遊技機）
３  台間装置
１５  遊技島の灰皿
２５  パチンコ機の灰皿
３０  筐体
３３  前面パネル
３３ｐ  吸入口
３５  吸入ダクト
３６  吐出口
４２  送風ユニット（第１の送風手段）
４３  導出ダクト
４４  オゾン供給ユニット（オゾン供給手段）
４５  空気系制御基板
５１  フィルタケース
５２  フィルタ
６１  光源
６２  ランプ室
６３  第２送風機（第２の送風手段）
６４  オゾン供給管
７０  情報表示装置
７１ａ，７１ｂ  表示パネル（情報表示部材）
７５  表示制御基板（表示制御手段）
８０  撮影装置
８１  撮影カメラ
８５  撮影制御基板（映像出力手段）
【図１】
2008022872.tif 000003
【図２】
2008022872.tif 000004
【図３】
2008022872.tif 000005
【図４】
2008022872.tif 000006
【図５】
2008022872.tif 000007
【図６】
2008022872.tif 000008